【事件の表示】
　平成１１年特許願第３７３７０５号「遊技制御装置」拒絶査定不服審判事件〔平成１３年　７月１０日出願公開、特開２００１−１８７２４２〕について、次のとおり審決する。
【結　論】
　本件審判の請求は、成り立たない。
【理　由】
１．手続きの経緯
　本願は平成１１年１２月２８日に出願されたものであって、平成１７年７月４日付の拒絶理由が通知され、平成１７年９月１２日付で意見および手続補正がなされ、平成１７年１１月１７日付で拒絶査定がなされたのに対して、平成１７年１２月２２日付で審判請求がなされ、平成１８年１月２３日付で手続き補正がなされたものである。
　　　　　　　　　　　　　　　　　　　　　　　　　　　　　　　　
２．平成１８年１月２３日付の手続補正についての補正却下の決定
［補正却下の決定の結論］
　平成１８年１月２３日付の手続補正を却下する。
　　　　　　　　　　　　　　　　　　　　　　　　　　　　　　　　
［理由］
［１］補正の内容と補正の適否
（１）補正の内容
　平成１８年１月２３日付の手続補正（以下、「本件補正」という。）は、平成１７年９月１２日付の手続補正で補正された特許請求の範囲である
　「【請求項１】　遊技内容を電気的に制御する主制御装置と、主制御装置から出力される制御信号により遊技状態を電気的に制御する従制御装置と、主制御装置から出力される制御信号により制御される入賞部品のソレノイドと、主制御装置から出力される情報をパチンコ店の営業を管理するホールコンピュータへ転送する外部情報基板と、主制御装置に検出信号を供給するスイッチとを備え、主制御装置のＣＰＵにおける従制御装置と入賞部品のソレノイドと外部情報基板およびスイッチのそれぞれに対応する全てのポートが機能別に分別構成されたことを特徴とする遊技制御装置。
【請求項２】　従制御装置として、大当たりの図柄を可変表示する特別図柄表示装置を制御する特別図柄表示制御装置と、効果音を放出するスピーカを制御する効果音制御装置と、球払出機構を制御する球払出制御装置とを備えたことを特徴とする請求項１記載の遊技制御装置。
【請求項３】　従制御装置として複数設けられ、主制御装置から複数の従制御装置にイネーブル信号を出力するポートが主制御装置のＣＰＵにおける１つのポートにまとめられたことを特徴とする請求項１記載の遊技制御装置。」
　を、
　「【請求項１】　遊技内容を電気的に制御する主制御装置と、主制御装置から出力される制御信号により遊技状態を電気的に制御する従制御装置と、主制御装置から出力される制御信号により制御される入賞部品のソレノイドと、主制御装置から出力される情報をパチンコ店の営業を管理するホールコンピュータへ転送する外部情報基板と、主制御装置に検出信号を供給するスイッチとを備え、主制御装置
には、ＣＰＵと、
して機能別に分別構成された
と、各ポートから従制御装置と入賞部品のソレノイドおよび外部情報基板のそれぞれに対応する制御信号や情報を出力したりスイッチからそれに対応するポートに検出信号を入力したりするために機能別に分別構成された全てのポートごとに対応して個別に構成されたコネクタとが設けら
【請求項２】　従制御装置として、大当たりの図柄を可変表示する特別図柄表示装置を制御する特別図柄表示制御装置と、効果音を放出するスピーカを制御する効果音制御装置と、球払出機構を制御する球払出制御装置とを備えたことを特徴とする請求項１記載の遊技制御装置。
【請求項３】　従制御装置として複数設けられ、主制御装置から複数の従制御装置にイネーブル信号を出力するポートが主制御装置のＣＰＵにおける１つのポートにまとめられたことを特徴とする請求項１記載の遊技制御装置。」
　とするものである（以下、本件補正の請求項１に係る発明を「本願補正発明」という。）。
　　　　　　　　　　　　　　　　　　　　　　　　　　　　　　　
（２）補正の適否　　　　　　　　　　　　　　　　　　　　　　　　　
　本件補正は、平成１７年９月１２日付の手続補正により補正された特許請求の範囲に記載された発明の「主制御装置のＣＰＵにおける従制御装置と入賞部品のソレノイドと外部情報基板およびスイッチのそれぞれに対応する全てのポートが機能別に分別構成された」を、「主制御装置には、ＣＰＵと、ＣＰＵにおける従制御装置と入賞部品のソレノイドと外部情報基板およびスイッチのそれぞれに対応して機能別に分別構成された全てのポートと、各ポートから従制御装置と入賞部品のソレノイドおよび外部情報基板のそれぞれに対応する制御信号や情報を出力したりスイッチからそれに対応するポートに検出信号を入力したりするために機能別に分別構成された全てのポートごとに対応して個別に構成されたコネクタとが設けられた」とするものであって、本件補正により補正された特許請求の範囲に記載された発明の「機能別に分別構成された全てのポート」に対応して「全てのポートごとに対応して個別に構成されたコネクタが設けられた」を付加するものであるが、情報伝達を行う際に、一端にポート、他端にコネクタを設けることは技術常識であることを踏まえれば、特許請求の範囲に記載された発明を特定するために必要な事項を付加したものと解されるから、本件補正は特許請求の範囲を減縮するものである。したがって、本件補正は、平成１８年改正前特許法第１７条の２第４項第２号の規定に適合している。
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　　　　　　
［２］独立特許要件の検討
（１）引用例について
　原査定の拒絶理由に引用された刊行物である特許第２８９６３７０号公報（以下、「引用例」という。）には、以下の技術事項が図１〜図２８とともに記載されている。
　　　　　　　　　　　　　　　　　　　　　　　　　　　　　　　　
・記載事項１
　「【特許請求の範囲】
【請求項１】  遊技領域を含む遊技盤が枠内に設けられ、遊技者の操作に応じて遊技が行われる遊技機であって、
遊技進行を制御する遊技制御手段が搭載された遊技制御基板と、
前記遊技制御基板からの信号にもとづいて枠側機構部の制御を行う枠側制御手段が搭載された枠側制御基板とを有し、
前記枠側制御基板に、前記遊技制御基板からの信号の入力のみを可能とする信号伝達方向規制手段を設けたことを特徴とする遊技機。」
　　　　　　　　　　　　　　　　　　　　　　　　　　　　　　　　
・記載事項２
　「【００１２】遊技領域７の中央付近には、複数種類の図柄を可変表示するための画像表示部９と７セグメントＬＥＤによる可変表示器１０とを含む可変表示装置８が設けられている。画像表示部９には、「左」、「中」、「右」の３つの図柄表示エリアがあり、これらの図柄表示エリアは各可変表示部を構成する。可変表示装置８の側部には、打球を導く通過ゲート１１が設けられている。通過ゲート１１を通過した打球は、玉出口１３を経て始動入賞口１４の方に導かれる。通過ゲート１１と玉出口１３との間の通路には、通過ゲート１１を通過した打球を検出するゲートセンサ１２がある。また、始動入賞口１４に入った入賞球は、遊技盤６の背面に導かれ、始動口センサ１７によって検出される。また、始動入賞口１４の下部には開閉動作を行う可変入賞球装置１５が設けられている。可変入賞球装置１５は、ソレノイド１６によって開状態とされる。【００１３】可変入賞球装置１５の下部には、特定遊技状態（大当り状態）においてソレノイド２１によって開状態とされる開閉板２０が設けられている。この実施の形態では、開閉板２０が大入賞口を開閉する手段となる。開閉板２０から遊技盤６の背面に導かれた入賞球のうち一方（Ｖゾーン）に入った入賞球はＶカウントセンサ２２で検出される。また、開閉板２０からの入賞球はカウントセンサ２３で検出される。可変表示装置８の下部には、始動入賞口１４に入った入賞球数を表示する４個の表示部を有する始動入賞記憶表示器１８が設けられている。この例では、４個を上限として、始動入賞がある毎に、始動入賞記憶表示器１８は点灯している表示部を１つずつ増やす。そして、画像表示部９の可変表示が開始される毎に、点灯している表示部を１つ減らす。」
　　　　　　　　　　　　　　　　　　　　　　　　　　　　　　
・記載事項３
　「【００２１】図４は、遊技制御基板（メイン基板）３１における回路構成の一例を示すブロック図である。なお、図４には、賞球基板３７、ランプ制御基板３５、音声制御基板７０、発射制御基板９１および表示制御基板８０も示されている。メイン基板３１には、プログラムに従ってパチンコ遊技機１を制御する基本回路５３と、ゲートセンサ１２、始動口センサ１７、Ｖカウントセンサ２２、カウントセンサ２３および入賞球検出スイッチ９９からの信号を基本回路５３に与えるスイッチ回路５８と、可変入賞球装置１５を開閉するソレノイド１６および開閉板２０を開閉するソレノイド２１を基本回路５３からの指令に従って駆動するソレノイド回路５９と、始動記憶表示器１８の点灯および滅灯を行うとともに７セグメントＬＥＤによる可変表示器１０を駆動し、また、装飾ランプ２５を点滅させるランプ・ＬＥＤ回路６０とを含む。」
　　　　　　　　　　　　　　　　　　　　　　　　　　　　　　　
・記載事項４
　「【００３０】図７に示すように、表示制御コマンドデータは、基本回路５３におけるＩ／Ｏポート部５７の出力ポート５７１から出力される。表示制御基板８０において、表示制御コマンドデータは、バッファ回路１０５を介して表示制御用ＣＰＵ１０１に入力する。また、出力ポート５７１からの出力に同期して出力ポート５７２のビット７からストローブ信号が出力される。表示制御基板８０において、ストローブ信号もバッファ回路１０５を介して表示制御用ＣＰＵ１０１に入力する。なお、表示制御用ＣＰＵ９１がＩ／Ｏポートを内蔵していない場合には、バッファ回路１０５と表示制御用ＣＰＵ１０１との間に、Ｉ／Ｏポートが設けられる。」
　　　　　　　　　　　　　　　　　　　　　　　　　　　　　　
・記載事項５
　「【００６１】図１７は、メイン基板３１における表示制御を検査する形態の一例を示すブロック図である。図７には示されていなかったが、表示制御基板８０には、メイン基板３１からの信号ケーブルを接続するためのコネクタ１１０が搭載されている。本来そのコネクタ１１０に接続されるケーブルを検査装置２００のコネクタ２１０に接続すれば、メイン基板３１から表示制御基板８０に入力される信号が検査装置２００に入力する。従って、検査装置２００において、メイン基板３１からの信号出力状態をチェックすることによってメイン基板３１における表示制御を検査することができる。そして、この実施の形態によれば、表示制御基板８０からメイン基板３１に伝わることのできる信号はないので、表示制御基板８０を検査装置で検査することなく、メイン基板３１からの信号状態をチェックするだけでメイン基板３１における表示制御の検査を完了することができる。【００６２】図１８は、メイン基板３１および枠側に設けられている制御基板としてのランプ制御基板３５における信号送受信部分を示すブロック図である。この実施の形態では、遊技領域７の外側に設けられている遊技効果ＬＥＤ２８ａおよび遊技効果ランプ２８ｂ，２８ｃの点灯／滅灯を示すランプ制御コマンドと割り込み信号とが、メイン基板３１からランプ制御基板３５に出力される。また、メイン基板３１からランプ制御基板３５に、賞球ランプ５１および玉切れランプ５２の点灯／滅灯を示す信号が出力される。【００６３】図１８に示すように、ランプ制御に関する各信号は、基本回路５３におけるＩ／Ｏポート部５７の出力ポート５７３，５７４から出力される。ランプ制御基板３５において、メイン基板３１からの各信号は、バッファ回路３５５を介してランプ制御用ＣＰＵ３５１に入力する。なお、ランプ制御用ＣＰＵ３５１がＩ／Ｏポートを内蔵していない場合には、バッファ回路３５５とランプ制御用ＣＰＵ３５１との間に、Ｉ／Ｏポートが設けられる。」
　　　　　　　　　　　　　　　　　　　　　　　　　　
・記載事項６
　「【００７１】図２１に示すように、音声再生用データは、基本回路５３におけるＩ／Ｏポート部５７の出力ポート５７５から出力される。音声制御基板７０において、メイン基板３１からの各信号は、バッファ回路７０５を介して音声制御用ＣＰＵ７０１に入力する。なお、音声制御用ＣＰＵ７０１がＩ／Ｏポートを内蔵していない場合には、バッファ回路７０５と音声制御用ＣＰＵ７０１との間に、Ｉ／Ｏポートが設けられる。そして、例えばディジタルシグナルプロセッサによる音声合成回路７０２は、音声制御用ＣＰＵ７０１の指示に応じた音声や効果音を発生し音量切替回路７０３に出力する。音量切替回路７０３は、音声制御用ＣＰＵ７０１の出力レベルを、設定されている音量に応じたレベルにして音量増幅回路７０４に出力する。音量増幅回路７０４は、増幅した音声信号をスピーカ２７に出力する。」
　　　　　　　　　　　　　　　　　　　　　　　　　　　　　　　　
・記載事項７
　「【００７７】図２３は、本発明の他の実施の形態を示すブロック図である。この実施の形態では、メイン基板３１において、出力ポート５７５の外側に信号伝達方向規制手段としてのバッファ回路７１が設けられている。バッファ回路７１として、例えば、汎用のＣＭＯＳ−ＩＣである７４ＨＣ２４４が用いられる。イネーブル端子には常にローレベル（ＧＮＤレベル）が与えられている。このような構成によれば、外部からメイン基板３１の内部に入力される信号が阻止されるので、音声制御基板７０からメイン基板３１に信号が与えられる可能性がある信号ラインをさらに確実になくすことができる。なお、信号伝達方向規制手段として、個別のトランジスタ等の他の回路素子を用いてもよい。」
　　　　　　　　　　　　　　　　　　　　　　　　　　　　　　　
・記載事項８
　「【００８０】図２４には、賞球制御に関わる入賞球検出スイッチ９９、玉切れスイッチ１２１、余剰玉受皿４における遊技球満杯を検出する満タンスイッチ１２２、および払い出される賞球をカウントする賞球カウントスイッチ１２３も示されている。入賞球検出スイッチ９９、玉切れスイッチ１２１、満タンスイッチ１２２および賞球カウントスイッチ１２３の検出信号は、基本回路５３におけるＩ／Ｏポート部５７の入力ポート５７９を介してＣＰＵ５６に入力する。ＣＰＵ５６は、玉切れスイッチ１２１がオンしたとき、および満タンスイッチ１２２がオンしたときに賞球可能信号をオフにする。また、上述したように、基本回路５３は、入賞球検出スイッチ９９がオンすると、所定個の賞球を示す賞球個数信号を出力する。【００８１】・・・【００８２】・・・【００８３】・・・【００８４】図２５は、本発明の他の実施の形態を示すブロック図である。この実施の形態では、メイン基板３１において、出力ポート５７６の外側に信号伝達方向規制手段としてのバッファ回路６１が設けられている。バッファ回路６１として、例えば、汎用のＣＭＯＳ−ＩＣである７４ＨＣ２４４が用いられる。イネーブル端子には常にローレベル（ＧＮＤレベル）が与えられている。このような構成によれば、外部からメイン基板３１の内部に入力される信号が阻止されるので、賞球基板３７からメイン基板３１に信号が与えらる可能性がある信号ラインをさらに確実になくすことができる。なお、信号伝達方向規制手段として、個別のトランジスタ等の他の回路素子を用いてもよい。【００８５】図２６は、メイン基板３１および枠側制御基板としての発射制御基板９１における信号送受信部分を示すブロック図である。図２６に示すように、発射制御信号が、基本回路５３におけるＩ／Ｏポート部５７の出力ポート５７７から発射制御基板９１に出力される。発射制御基板９１において、メイン基板３１からの発射制御信号は、バッファ回路９１５を介して発射制御用ＣＰＵ９１１に入力する。なお、発射制御用ＣＰＵ９１１がＩ／Ｏポートを内蔵していない場合には、バッファ回路９１５と発射制御用ＣＰＵ９１１との間に、Ｉ／Ｏポートが設けられる。また、図２６には、遊技球の発射制御に関わる満タンスイッチ１２２も示されている。満タンスイッチ１２２がオンすると、基本回路５３は、発射制御信号をオフ状態にする。」
　　　　　　　　　　　　　　　　　　　　　　　　　　　　　　
　以上の記載事項１〜８及び図１〜図２８によれば、引用例には以下の発明が記載されていると認められる。（以下、「引用例発明」という。）
　　　　　　　　　　　　　　　　　　　　　　　　　　　　　
　「遊技進行を制御する遊技制御基板３１と、遊技制御基板３１からの信号に基づいて制御を行う表示制御基板８０、ランプ制御基板３５、音声制御基板７０、賞球基板３７および発射制御基板９１と、可変入賞球装置１５の開閉動作を行うソレノイド１６と開閉板２０の開閉動作を行うソレノイド２１と、遊技制御基板３１に検出信号を供給する入賞球検出スイッチ９９、玉切れスイッチ１２１、満タンスイッチ１２２および賞球カウントスイッチ１２３とを備え、遊技制御基板３１にはＣＰＵ５６が設けられ、そのＣＰＵ５６と表示制御基板８０、ランプ制御基板３５、音声制御基板７０、賞球基板３７および発射制御基板９１と上記ソレノイドと上記スイッチとの間においてそれぞれ入出力信号の伝達を行う遊技機。」
　　　　　　　　　　　　　　　　　　　　　　　　　　　　
（２）対比
　引用例発明と本願補正発明を対比すると、引用例発明の「遊技進行を制御する」は本願補正発明の「遊技内容を電気的に制御する」に相当し、以下同様に、「遊技制御基板３１」は「主制御装置」に、「遊技制御基板３１からの信号に基づいて制御を行う」は「主制御装置から出力される制御信号により遊技状態を電気的に制御する」に、「表示制御基板８０、ランプ制御基板３５、音声制御基板７０、賞球基板３７および発射制御基板９１」は「従制御装置」に、「入賞球検出スイッチ９９、玉切れスイッチ１２１、満タンスイッチ１２２および賞球カウントスイッチ１２３」は「スイッチ」にそれぞれ相当している。
　　　　　　　　　　　　　　　　　　　　　　　　　　　　　　
　そして、引用例発明については、以下のことがいえる。
　　　　　　　　　　　　　　　　　　　　　　　　　　　　　
１）実質的具備事項１
　引用例の記載事項２の「【００１２】・・・また、始動入賞口１４の下部には開閉動作を行う可変入賞球装置１５が設けられている。可変入賞球装置１５は、ソレノイド１６によって開状態とされる。【００１３】可変入賞球装置１５の下部には、特定遊技状態（大当り状態）においてソレノイド２１によって開状態とされる開閉板２０が設けられている。この実施の形態では、開閉板２０が大入賞口を開閉する手段となる。開閉板２０から遊技盤６の背面に導かれた入賞球のうち一方（Ｖゾーン）に入った入賞球はＶカウントセンサ２２で検出される。また、開閉板２０からの入賞球はカウントセンサ２３で検出される。・・・」なる記載および図４に基づけば、可変入賞球装置１５のソレノイド１６や大入賞口のソレノイド２１は、開閉手段を用いて開状態にされて入賞球を受け入れるものであるから共に入賞部品といえる装置であって、かつ、その可変入賞球装置１５と大入賞口は、遊技制御基板３１によりソレノイドを制御して開閉動作をしていることは明らかであるから、可変入賞球装置１５や大入賞口は遊技制御基板３１から出力される制御信号により制御される入賞部品ということができる。
　そして、引用例発明の「遊技制御基板３１」は、本願補正発明の「主制御装置」に相当していることは上記したとおりである。
　したがって、引用例発明は、「主制御装置から出力される制御信号により制御される入賞部品のソレノイド」なる構成を実質的に具備しているということができる。
　　　　　　　　　　　　　　　　　　　　　　　　　　　　　　　　　
２）実質的具備事項２
　ア）同記載事項４の「【００３０】図７に示すように、表示制御コマンドデータは、基本回路５３におけるＩ／Ｏポート部５７の出力ポート５７１から出力される。表示制御基板８０において、表示制御コマンドデータは、バッファ回路１０５を介して表示制御用ＣＰＵ１０１に入力する。また、出力ポート５７１からの出力に同期して出力ポート５７２のビット７からストローブ信号が出力される。表示制御基板８０において、ストローブ信号もバッファ回路１０５を介して表示制御用ＣＰＵ１０１に入力する。なお、表示制御用ＣＰＵ９１がＩ／Ｏポートを内蔵していない場合には、バッファ回路１０５と表示制御用ＣＰＵ１０１との間に、Ｉ／Ｏポートが設けられる。」なる記載および図７又は図１６に基づけば、それぞれ機能別に分別構成された状態で表示制御基板８０に向けて、表示制御コマンドデータおよびストローブ信号の各種信号が遊技制御基板３１に設けられた出力ポートＡおよび出力ポートＢからそれぞれ信号伝達経路を介して伝達されていることは明らかであるから、それぞれ機能別に分別構成された状態で遊技制御基板３１に設けられポートと表示制御基板とは信号伝達経路を介して接続されているということができる。
　イ）同じく図１８又は図２０に基づけば、それぞれ機能別に分別構成された状態でランプ制御基板３５に向けて、ランプ制御コマンドと賞球ランプ点灯指示、玉切れランプ点灯指示および割込信号の各種信号が遊技制御基板３１に設けられた出力ポートＣおよび出力ポートＤと信号伝達経路を介してランプ制御基板３５に伝達されているのであるから、それぞれ機能別に分別構成された状態で遊技制御基板３１に設けられたポートとランプ制御基板とは信号伝達経路を介して接続されているということができる。
　ウ）同じく図２１又は図２３に基づけば、それぞれ機能別に分別構成された状態で音声制御基板７０に向けて、各種信号が遊技制御基板３１に設けられた出力ポートＥと信号伝達経路を介して音声制御基板７０に伝達されているのであるから、それぞれ機能別に分別構成された状態で遊技制御基板３１に設けられたポートと音声制御基板とは信号伝達経路を介して接続されているということができる。
　エ）同じく図２４、図２５又は図２６、図２８に基づけば、賞球基板３７と発射制御基板９１に向けて、各種信号を遊技制御基板３１から出力するに当たって、各スイッチ９９、１２１、１２２、１２３は入力ポート５７９を介して遊技制御基板３１のＣＰＵ５６にそれぞれの信号を信号伝達経路を介して伝達しているのであるから、それぞれ機能別に分別構成された状態で遊技制御基板３１に設けられたポートとスイッチは信号伝達経路を介して接続されているということができる。
　オ）同記載事項８の「【００８０】・・・入賞球検出スイッチ９９、玉切れスイッチ１２１、満タンスイッチ１２２および賞球カウントスイッチ１２３の検出信号は、基本回路５３におけるＩ／Ｏポート部５７の入力ポート５７９を介してＣＰＵ５６に入力する。・・・また、上述したように、基本回路５３は、入賞球検出スイッチ９９がオンすると、所定個の賞球を示す賞球個数信号を出力する。【００８１】・・・【００８２】・・・【００８３】・・・【００８４】・・・【００８５】・・・図２６に示すように、発射制御信号が、基本回路５３におけるＩ／Ｏポート部５７の出力ポート５７７から発射制御基板９１に出力される。発射制御基板９１において、メイン基板３１からの発射制御信号は、バッファ回路９１５を介して発射制御用ＣＰＵ９１１に入力する。・・・」なる記載および図４、図１６〜１８、図２０〜２１、図２３〜２６、図２８に基づけば、ｉ）遊技制御基板３１の基本回路５３にはＩ／Ｏポート部５７が設けられていること、ｉｉ）そのＩ／Ｏポート部５７はそれぞれ機能別に分別構成された各出力ポートＡ〜Ｇを含むこと、ｉｉｉ）各スイッチと遊技制御基板３１のＣＰＵ５６は遊技制御基板３１に設けた入力ポート５７９と信号伝達経路を介して、信号を伝達していること、ｉｖ）ソレノイド１６、２１への信号を含む全ての信号は各信号伝達経路を介して遊技制御基板３１の基本回路５３のＩ／Ｏポート部５７に接続されて入出力されていること、ｖ）図４において、ソレノイド１６、２１と遊技制御基板３１とＣＰＵ５６との間の信号伝達経路を介した接続は、他の表示制御基板８０、ランプ制御基板３５、音声制御基板７０、賞球基板３７、発射制御基板９１および各スイッチと遊技制御基板３１のＣＰＵ５６との間で信号伝達経路を介して信号を伝達する点で格別の相違がないこと、ｖｉ）Ｉ／Ｏポートとは、信号のｉｎとｏｕｔ機能を有する入出力ポートを意味していることは常識であること、上記ｉ）〜ｖｉ）から見て、遊技制御基板３１の基本回路５３のＩ／Ｏポート部５７は、各出力ポートＡ〜Ｇとして機能するだけでなく、ソレノイド用の出力ポートとして実質的に機能していることは明らかであるので、ソレノイド用の出力ポートが遊技制御基板３１のＩ／Ｏポート部５７に実質的に設けられていると言い換えることができる。
　したがって、それぞれ機能別に分別構成された状態で遊技制御基板３１に実質的に設けられたポートとソレノイドは信号伝達経路を介して実質的に接続されているということができる。
　以上のア）〜オ）を総合すると、引用例発明を、「遊技制御基板３１と表示制御基板８０、ランプ制御基板３５、音声制御基板７０、賞球基板３７および発射制御基板９１、ソレノイド並びにスイッチとの間において、入出力信号を伝達するに当たって、遊技制御基板３１のそれぞれ機能別に分別構成された全てのポートから表示制御基板８０、ランプ制御基板３５、音声制御基板７０、賞球基板３７および発射制御基板９１、ソレノイド並びにスイッチへ、信号伝達経路を介して信号が入出力される遊技機」と言い換えできる。
　そして、引用例発明の「遊技制御基板３１」「表示制御基板８０、ランプ制御基板３５、音声制御基板７０、賞球基板３７および発射制御基板９１」は、本願補正発明の「主制御装置」「従制御装置」に相当していることは上記したとおりであるとともに、引用例発明の「遊技機」は、「遊技制御装置」と実質的に言い換えできることは明らかなことである。
　そうすると、引用例発明は、「主制御装置と従制御装置、ソレノイド並びにスイッチとの間において、入出力信号を伝達するに当たって、主制御装置のそれぞれ機能別に分別構成された全てのポートから、それぞれ信号伝達経路を介して信号が入出力される遊技制御装置」を実質的に具備しているということができる。
　　　　　　　　　　　　　　　　　　　　　　　　　　　　　
　以上の実質的具備事項１〜２を考慮すると、本願補正発明と引用例発明は、以下の点で一致するとともに相違している。
　　　　　　　　　　　　　　　　　　　　　　　　　　　　
＜一致点＞　　　　　　　　　　　　　　　　　　　　　　
　「遊技内容を電気的に制御する主制御装置と、主制御装置から出力される制御信号により遊技状態を電気的に制御する従制御装置と、主制御装置から出力される制御信号により制御される入賞部品のソレノイドと、主制御装置に検出信号を供給するスイッチとを備え、主制御装置には、ＣＰＵが設けられ、そのＣＰＵと、従制御装置、ソレノイドおよびスイッチとの間において信号伝達経路を介してそれぞれ入出力信号の伝達を行うものであって、それぞれ機能別に分別構成された全てのポートが主制御装置に設けられた遊技制御装置。」
　　　　　　　　　　　　　　　　　　　　　　　　　　　　　　
＜相違点１＞
　本願補正発明においては、遊技制御装置は、その制御対象として外部情報基板を有するとともに、主制御装置と外部情報基板との間を外部情報基板用信号伝達経路で接続するものであるのに対して、引用例発明においては、遊技制御装置は、外部情報基板と外部情報基板用の信号伝達経路を有していない点。
　　　　　　　　　　　　　　　　　　　　　　　　　　　　　　　
＜相違点２＞
　機能別に分別構成された全てのポートが設けられた主制御装置が、本願補正発明においては、その全てのポートごとに対応して個別に構成されたコネクタを設けているのに対して、引用例発明においては、全てのポートごとに対応してコネクタを個別に構成するように設けているか否か不明である点。
　　　　　　　　　　　　　　　　　　　　　　　　　　　　　　　
（３）判断
　上記相違点について、検討する。
＜相違点１について＞
　パチンコ遊技機を制御するに当たって、パチンコ店の営業を管理するホールコンピュータや管理装置を設け、各パチンコ機とホールコンピュータや管理装置との間で信号の伝達を行うために、各パチンコ遊技機と外部情報基板を接続することは、遊技機技術分野の制御装置において周知な技術にすぎない（必要であれば、特開平１０−１９２５３３号公報（通信手段と外部制御装置）、特開平１１−４４７号公報（外部情報端子と管理装置）、特開平１０−５４００号公報（入出力制御部と管理装置）等参照されたい。以下、「周知技術Ａ」という。）。
　そうすると、引用例発明の遊技制御装置において、上記遊技機技術分野の制御装置における周知技術Ａを参酌して、主制御基板が制御する基板として外部情報基板を付加するとともに、主制御装置と外部情報基板の間を外部情報基板用の信号伝達経路で接続するようにすること、すなわち本願補正発明の上記相違点１に係る構成となすことは、当業者が容易になし得る程度のことということができる。
　　　　　　　　　　　　　　　　　　　　　　　　　　　　　
＜相違点２について＞
　制御装置間で入出力信号を信号伝達経路を介して伝達するに当たって、制御装置にポートとそれに対応してコネクタを設けることは、遊技機技術分野の制御装置において周知な技術に過ぎない上（以下、「周知技術Ｂ」という。必要であれば特開平１１−３１９２７１号公報〔公開日H11.11.24、図２の制御装置Ｃの入出力ポート２５とコネクタ３１および４０９〕、特開平１１−１１４１６６号公報〔図７の主制御部１４０の入出力インターフェース１４４とポート部１７４〕、特開平１１−３１３９６５号公報〔図２の制御装置Ｃの入出力ポート２５とコネクタ２６、２７、２０〕等参照されたい。）、信号ケーブル等の信号伝達経路の両端には、制御装置の雄側または凸側と雌側または凹側のコネクタと嵌め合うことにより信号を伝達できるように、雌側または凹側と雄側または凸側のコネクタを設けることは、例示するまでもなく信号伝達経路を構成する信号ケーブル等においての技術常識にすぎない。
　また、同記載事項５の「【００６１】・・・表示制御基板８０には、メイン基板３１からの信号ケーブルを接続するためのコネクタ１１０が搭載されている。本来そのコネクタ１１０に接続されるケーブルを検査装置２００のコネクタ２１０に接続すれば、メイン基板３１から表示制御基板８０に入力される信号が検査装置２００に入力する。・・・【００６２】・・・【００６３】・・・」なる記載および図１７並びに上記技術常識に基づけば、遊技制御基板３１から信号を表示制御基板８０に出力する信号伝達経路を形成する信号ケーブルの表示制御基板側は、コネクタ１１０とコネクタ２１０に嵌合することができる雄側または雌側のコネクタを有していることは明らかである。　
　そうすると、上記遊技機技術分野の制御装置における周知技術Ｂと技術常識を参酌して、引用例発明の遊技制御基板３１にそれぞれ機能別に分別構成された全てのポートと、遊技制御基板３１に設けられた全てのポートに対応して個別に遊技制御基板３１に雄側または雌側のコネクタを設けて、そのコネクタと各信号伝達経路の主制御装置側の雌側または雄側のコネクタと嵌め合うことにより、主制御装置と従制御装置、ソレノイドおよびスイッチの間を信号伝達経路を介して信号が入出力できるように接続するようにすること、すなわち本願補正発明の上記相違点２に係る構成となすことは、当業者が容易になし得る程度のことということができる。
　　　　　　　　　　　　　　　　　　　　　　　　　　　　　　　　
（４）作用効果およびむすび
　よって、本願補正発明は、引用例発明、周知技術Ａおよび周知技術Ｂ並びに技術常識に基づいて、当業者が容易に想到することができたものであり、本願補正発明によって奏する効果も、引用例発明、周知技術Ａおよび周知技術Ｂ並びに技術常識に基づいて、普通に予測できる範囲内のものであって格別のものがあると認められないから、特許法第２９条第２項により特許出願の際独立して特許を受けることができないものである。
　　　　　　　　　　　　　　　　　　　　　　　　　　　　　
（５）補正却下の判断
　上記のとおり、本願補正発明は、平成１８年改正前特許法第１７条の２第５項で準用する同法第１２６条第５項の規定に違反するものであるので、本件補正である平成１８年１月２３日付の手続補正は、特許法第１５９条第１項で準用する同法第５３条第１項の規定により却下されるべきものである。
　　　　　　　　　　　　　　　　　　　　　　　　　　　　　　　
３．本願発明について
　平成１８年１月２３日付の手続補正は上記のとおり却下されているので、平成１７年９月１２日付の手続補正書における特許請求の範囲の請求項１に係る発明は、次のとおりに特定されるものである。
　　　　　　　　　　　　　　　　　　　　　　　　　　　　　
　「【請求項１】　遊技内容を電気的に制御する主制御装置と、主制御装置から出力される制御信号により遊技状態を電気的に制御する従制御装置と、主制御装置から出力される制御信号により制御される入賞部品のソレノイドと、主制御装置から出力される情報をパチンコ店の営業を管理するホールコンピュータへ転送する外部情報基板と、主制御装置に検出信号を供給するスイッチとを備え、主制御装置のＣＰＵにおける従制御装置と入賞部品のソレノイドと外部情報基板およびスイッチのそれぞれに対応する全てのポートが機能別に分別構成されたことを特徴とする遊技制御装置。
【請求項２】　従制御装置として、大当たりの図柄を可変表示する特別図柄表示装置を制御する特別図柄表示制御装置と、効果音を放出するスピーカを制御する効果音制御装置と、球払出機構を制御する球払出制御装置とを備えたことを特徴とする請求項１記載の遊技制御装置。
【請求項３】　従制御装置として複数設けられ、主制御装置から複数の従制御装置にイネーブル信号を出力するポートが主制御装置のＣＰＵにおける１つのポートにまとめられたことを特徴とする請求項１記載の遊技制御装置。」（以下、「本願発明」という。）
　　　　　　　　　　　　　　　　　　　　　　　　　　　　　　　
（１）引用例について
　引用例の記載事項は、上記［２］独立特許要件の検討（１）引用例についてに記載したとおりである。
　　　　　　　　　　　　　　　　　　　　　　　　　　　　　　　　
（２）対比・判断
　本願発明は、上記［２］独立特許要件の検討（３）判断で検討した本願補正発明の「主制御装置には、ＣＰＵと、ＣＰＵにおける従制御装置と入賞部品のソレノイドと外部情報基板およびスイッチのそれぞれに対応して機能別に分別構成された全てのポートと、各ポートから従制御装置と入賞部品のソレノイドおよび外部情報基板のそれぞれに対応する制御信号や情報を出力したりスイッチからそれに対応するポートに検出信号を入力したりするために機能別に分別構成された全てのポートごとに対応して個別に構成されたコネクタとが設けられた」を、「主制御装置のＣＰＵにおける従制御装置と入賞部品のソレノイドと外部情報基板およびスイッチのそれぞれに対応する全てのポートが機能別に分別構成された」としたものである。
　そうすると、本願発明の構成要件をすべて含み、さらに他の構成要素を付加したものに相当する本願補正発明が、上記［２］独立特許要件の検討（３）判断〜（４）作用効果およびむすびに記載したとおり、引用例発明、周知技術Ａおよび周知技術Ｂ並びに技術常識に基づいて、当業者が容易に発明することができたものであるので、特許法第２９条第２項の規定により特許を受けることができないものである。
　したがって、本願発明も、同様の理由により、引用例発明、周知技術Ａおよび周知技術Ｂ並びに技術常識に基づいて、当業者が容易に発明をすることができたものである。
　　　　　　　　　　　　　　　　　　　　　　　　　　　　　
（３）むすび
　以上のとおり、本願発明は、引用例発明、周知技術Ａおよび周知技術Ｂ並びに技術常識に基づいて、当業者が容易に発明をすることができたものであるから、特許法第２９条第２項の規定により特許を受けることができない。
　したがって、他の請求項について検討するまでもなく本願は拒絶されるべきものである。
　よって、結論のとおり審決する。